(57)【要約】【課題】  本来の送信者になりかわって第三者がデータを送信しても、受信側で送信データの認証を行うことができ、成りすまし送信を防ぐことができるデータ送信システム及びデータ送信方法並びに装置を提供する。【解決手段】  ＩＤチップ１と、ＩＤカード２と、カードリーダー３とを備えたデータ送信システムＳであって、ＩＤチップ１からＩＤカード２へ起動信号（Ｃ１，Ｃ２）が送信され、これらが認証されると、ＩＤカード２からカードリーダー３へ認証信号（Ｓ１，Ｓ２）が送信される。カードリーダー３で認証信号が認証されると、外部装置４へ出力信号が送出される。換算定数ｙ（Ｙ）とｚ´（Ｚ´）の組合せによって暗号化されたＩＤ番号と換算定数ｘ（Ｘ）は一方の起動信号（認証信号）に含められ、換算定数ｘ（Ｘ）とｚ´（Ｚ´）によって暗号化されたＩＤ番号，換算定数ｙ（Ｙ）及び換算定数ｚ´（Ｚ´）に対応付けられたパターン換算定数ｚ（Ｚ）は他方の起動信号（認証信号）に含められて送信される。【選択図】        図１
2005260353.tif 000002
【特許請求の範囲】
【請求項１】
起動装置と、操作装置と、認証装置との間で、第１の換算定数，第２の換算定数及び第３の換算定数のうち少なくとも第１の換算定数又は第２の換算定数によってデータを暗号化して送信するデータ送信システムであって、
前記起動装置は、
送信データ，前記第１の換算定数，前記第２の換算定数，前記第３の換算定数及び該第３の換算定数に対応するパターン換算定数を記憶する第１記憶手段と、
前記第２の換算定数，又は前記第２の換算定数及び前記第３の換算定数を用いて前記送信データを第１の代替値に暗号化し前記第１の換算定数，又は前記第１の換算定数及び前記第３の換算定数を用いて前記送信データを第２の代替値へ暗号化する第１暗号化手段と、
前記第１の代替値及び前記第１の換算定数を含む第１起動信号を生成する第１起動信号生成手段と、
前記第２の代替値，前記第２の換算定数及び前記パターン換算定数を含む第２起動信号を生成する第２起動信号生成手段と、
前記第１起動信号及び前記第２起動信号を前記操作装置へ送信する送信手段と、を備え、
前記操作装置は、
前記第３の換算定数及び該第３の換算定数に対応するパターン換算定数を記憶する第２記憶手段と、
前記第１起動信号及び前記第２起動信号を受信して前記第１起動信号から前記第１の代替値及び前記第１の換算定数を読取り、前記第２起動信号から前記第２の代替値，前記第２の換算定数及び前記パターン換算定数を読取る第１読取手段と、
該第１読取手段によって読取られたパターン換算定数を前記第３の換算定数に読替える第１読替手段と、
前記第１の代替値及び前記第２の代替値をそれぞれ暗号化に用いられた換算定数によって第１の復号化データ及び第２の復号化データへ復号化する第１復号化手段と、
前記第１の復号化データと前記第２の復号化データに基づいて前記第１起動信号及び前記第２起動信号を受け入れる認証をする第１認証手段と、
送信データ，前記第１の換算定数，前記第２の換算定数及び前記第３の換算定数を選択する選択手段と、
該選択手段によって選択された第２の換算定数，又は前記第２の換算定数及び前記第３の換算定数を用いて前記送信データを第１の代替値に暗号化し前記選択手段によって選択された第１の換算定数，又は前記第１の換算定数及び前記第３の換算定数を用いて前記送信データを第２の代替値へ暗号化する第２暗号化手段と、
該第２暗号化手段によって算出された第１の代替値及び前記選択手段によって選択された第１の換算定数を含む第１認証信号を生成する第１認証信号生成手段と、
前記第２暗号化手段によって算出された第２の代替値，前記選択手段によって選択された第２の換算定数及び前記選択手段によって選択された第３の換算定数に対応するパターン換算定数を含む第２認証信号を生成する第２認証信号生成手段と、
前記第１認証手段で前記第１起動信号及び前記第２起動信号を受け入れる認証がされたときに、前記第１認証信号及び前記第２認証信号を前記認証装置へ送信する送信手段と、を備え、
前記認証装置は、
前記第３の換算定数及び該第３の換算定数に対応するパターン換算定数を記憶する第３記憶手段と、
前記第１認証信号及び前記第２認証信号を受信して前記第１認証信号から前記第１の代替値及び前記第１の換算定数、前記第２認証信号から前記第２の代替値，前記第２の換算定数及び前記パターン換算定数を読取る第２読取手段と、
該第２読取手段によって読取られたパターン換算定数を前記第３の換算定数に読替える第２読替手段と、
前記第２読取手段によって読取られた第１の代替値及び第２の代替値をそれぞれ暗号化に用いられた換算定数によって第１の復号化データ及び第２の復号化データへ復号化する第２復号化手段と、
該第２復号化手段によって算出された第１の復号化データと第２の復号化データに基づいて前記第１認証信号及び前記第２認証信号を受け入れる認証をする第２認証手段と、を備えたことを特徴とするデータ送信システム。
【請求項２】
前記認証装置は、前記第１認証信号及び前記第２認証信号を受け入れる認証をした場合に、前記第１の復号化データ又は第２の復号化データに基づいて、外部装置へ出力信号を送出する外部出力信号送出手段を備えたことを特徴とする請求項１に記載のデータ送信システム。
【請求項３】
前記操作装置および前記認証装置は、前記第１の復号化データと前記第２の復号化データが一致したときに認証を行うことを特徴とする請求項１に記載のデータ送信システム。
【請求項４】
前記操作装置の第１認証手段によって前記第１起動信号及び前記第２起動信号を受け入れる認証がされた場合に、前記操作装置の送信手段は、所定時間内にのみ前記第１認証信号及び前記第２認証信号を送信することを特徴とする請求項１に記載のデータ送信システム。
【請求項５】
起動装置と、操作装置と、認証装置との間で、第１の換算定数，第２の換算定数及び第３の換算定数うち少なくとも第１の換算定数又は第２の換算定数によってデータを暗号化して送信するデータ送信方法であって、
前記起動装置によって、前記第２の換算定数，又は前記第２の換算定数及び前記第３の換算定数を用いて前記送信データを第１の代替値に暗号化し前記第１の換算定数，又は前記第１の換算定数及び前記第３の換算定数を用いて前記送信データを第２の代替値へ暗号化する第１暗号化ステップと、
前記起動装置によって、前記第１の代替値及び前記第１の換算定数を含む第１起動信号を生成する第１起動信号生成ステップと、
前記起動装置によって、前記第２の代替値，前記第２の換算定数及び前記パターン換算定数を含む第２起動信号を生成する第２起動信号生成ステップと、
前記起動装置によって、前記第１起動信号及び前記第２起動信号を前記操作装置へ送信する送信ステップと、
前記操作装置によって、前記第１起動信号及び前記第２起動信号を受信して前記第１起動信号から前記第１の代替値及び前記第１の換算定数を読取り、前記第２起動信号から前記第２の代替値，前記第２の換算定数及び前記パターン換算定数を読取る第１読取ステップと、
前記操作装置によって、前記パターン換算定数と第３の換算定数とを対応づけたパターン換算定数データに基づいて、前記第１読取ステップで読取ったパターン換算定数を前記第３の換算定数に読替える第１読替ステップと、
前記操作装置によって、前記第１読取ステップで読取った第１の代替値及び第２の代替値をそれぞれ暗号化に用いられた換算定数によって第１の復号化データ及び第２の復号化データへ復号化する第１復号化ステップと、
前記操作装置によって、前記第１復号化ステップで算出した第１の復号化データと第２の復号化データに基づいて前記第１起動信号及び前記第２起動信号を受け入れる認証をする第１認証ステップと、
前記操作装置によって、送信データ，前記第１の換算定数，前記第２の換算定数及び前記第３の換算定数を選択する選択ステップと、
前記操作装置によって、前記選択ステップで選択した第２の換算定数，又は第２の換算定数及び第３の換算定数を用いて前記送信データを第１の代替値に暗号化し前記選択ステップで選択した第１の換算定数，又は第１の換算定数及び第３の換算定数を用いて前記送信データを第２の代替値へ暗号化する第２暗号化ステップと、
前記操作装置によって、前記第２暗号化ステップで算出した第１の代替値及び前記選択ステップで選択した第１の換算定数を含む第１認証信号を生成する第１認証信号生成ステップと、
前記操作装置によって、前記第２暗号化ステップで算出した第２の代替値，前記選択ステップで選択した第２の換算定数及び前記選択ステップで選択した第２の換算定数に対応するパターン換算定数を含む第２認証信号を生成する第２認証信号生成ステップと、
前記操作装置によって、前記第１認証信号及び前記第２認証信号を前記認証装置へ送信する送信ステップと、
前記認証装置によって、前記第１認証信号及び前記第２認証信号を受信して前記第１認証信号から前記第１の代替値及び前記第１の換算定数、前記第２認証信号から前記第２の代替値，前記第２の換算定数及び前記パターン換算定数を読取る第２読取ステップと、
前記認証装置によって、前記パターン換算定数と第３の換算定数とを対応づけたパターン換算定数データに基づいて、前記第２読取ステップで読取ったパターン換算定数を前記第３の換算定数に読替える第２読替ステップと、
前記認証装置によって、前記第２読取ステップで読取った第１の代替値及び第２の代替値をそれぞれ暗号化に用いられた換算定数によって第１の復号化データ及び第２の復号化データへ復号化する第２復号化ステップと、
前記認証装置によって、前記第２復号化ステップで算出した第１の復号化データと第２の復号化データに基づいて前記第１認証信号及び前記第２認証信号を受け入れる認証をする第２認証ステップと、を備えたことを特徴とするデータ送信方法。
【請求項６】
第１の換算定数，第２の換算定数及び第３の換算定数のうち少なくとも第１の換算定数又は第２の換算定数によって暗号化されたデータを送受信するデータ送受信装置であって、
前記第３の換算定数及び該第３の換算定数に対応するパターン換算定数を記憶する記憶部と、
前記第２の換算定数，又は前記第２の換算定数及び前記第３の換算定数を用いて前記送信データを暗号化した第１の代替値と，第１の換算定数と，が含まれる第１起動信号、および前記第１の換算定数，又は前記第１の換算定数及び前記第３の換算定数を用いて前記送信データを暗号化した第２の代替値と，前記第２の換算定数と，前記第３の換算定数に対応するパターン換算定数と，が含まれる第２起動信号を受信する受信部と、
前記第１起動信号から前記第１の代替値及び前記第１の換算定数を読取り、前記第２起動信号から前記第２の代替値，前記第２の換算定数及び前記パターン換算定数を読取る読取処理，
該読取処理によって読取られたパターン換算定数を前記第３の換算定数に読替える処理，
前記第１の代替値及び前記第２の代替値をそれぞれ暗号化に用いられた換算定数によって第１の復号化データ及び第２の復号化データへ復号化する復号化処理，
前記第１の復号化データと前記第２の復号化データに基づいて前記第１起動信号及び前記第２起動信号を受け入れる認証をする認証処理，
送信データ，前記第１の換算定数，前記第２の換算定数及び前記第３の換算定数を選択する選択処理，
該選択処理によって選択された第２の換算定数，又は第２の換算定数及び第３の換算定数を用いて前記送信データを第１の代替値に暗号化し前記選択処理によって選択された第１の換算定数，又は第１の換算定数及び第３の換算定数を用いて前記送信データを第２の代替値へ暗号化する暗号化処理，
該暗号化処理によって算出された前記第１の代替値及び前記選択処理によって選択された第１の換算定数を含む第１認証信号を生成する第１認証信号生成処理，
前記暗号化処理によって算出された第２の代替値，前記選択処理によって選択された第２の換算定数及び前記選択処理によって選択された第３の換算定数に対応するパターン換算定数を含む第２認証信号を生成する第２認証信号生成処理，
前記第１認証信号及び前記第２認証信号を送信する送信処理，を行う制御部と、
前記第１認証信号及び前記第２認証信号を外部へ送信する送信部と、を備えたことを特徴とするデータ送受信装置。
【請求項７】
前記制御部は、前記第１起動信号及び前記第２起動信号を受け入れる認証をした場合に、所定時間内にのみ前記送信処理を行なうことを特徴とする請求項６に記載のデータ送受信装置。
【請求項８】
起動装置と、操作装置と、認証装置との間で、第１の換算定数，第２の換算定数及び第３の換算定数のうち少なくとも第１の換算定数又は第２の換算定数によってデータを暗号化して送信するデータ送信システムであって、
前記起動装置は、
送信データ，前記第１の換算定数，前記第２の換算定数，前記第３の換算定数及び該第３の換算定数に対応するパターン換算定数を記憶する第１記憶手段と、
前記第２の換算定数，又は前記第２の換算定数及び前記第３の換算定数を用いて前記送信データを第１の代替値に暗号化し前記第１の換算定数，又は前記第１の換算定数及び前記第３の換算定数を用いて前記送信データを第２の代替値へ暗号化する第１暗号化手段と、
前記第１の代替値及び前記第１の換算定数を含む第１起動信号を生成する第１起動信号生成手段と、
前記第２の代替値，前記第２の換算定数及び前記パターン換算定数を含む第２起動信号を生成する第２起動信号生成手段と、
前記第１起動信号及び前記第２起動信号を前記認証装置へ送信する送信手段と、を備え、
前記操作装置は、
前記第３の換算定数及び該第３の換算定数に対応するパターン換算定数を記憶する第２記憶手段と、
送信データ，前記第１の換算定数，前記第２の換算定数及び前記第３の換算定数を選択する選択手段と、
該選択手段によって選択された第２の換算定数，又は前記第２の換算定数及び前記第３の換算定数を用いて前記送信データを第１の代替値に暗号化し前記選択手段によって選択された第１の換算定数，又は前記第１の換算定数及び前記第３の換算定数を用いて前記送信データを第２の代替値へ暗号化する第２暗号化手段と、
該第２暗号化手段によって算出された第１の代替値及び前記選択手段によって選択された第１の換算定数を含む第１認証信号を生成する第１認証信号生成手段と、
前記第２暗号化手段によって算出された第２の代替値，前記選択手段によって選択された第２の換算定数及び前記選択手段によって選択された第３の換算定数に対応するパターン換算定数を含む第２認証信号を生成する第２認証信号生成手段と、
前記第１認証信号及び前記第２認証信号を前記認証装置へ送信する送信手段と、を備え、
前記認証装置は、
前記第３の換算定数及び該第３の換算定数に対応するパターン換算定数を記憶する第３記憶手段と、
前記第１起動信号及び前記第２起動信号を受信して前記第１起動信号から前記第１の代替値及び前記第１の換算定数を読取り、前記第２起動信号から前記第２の代替値，前記第２の換算定数及び前記パターン換算定数を読取る第１読取手段と、
該第１読取手段によって読取られたパターン換算定数を前記第３の換算定数に読替える第１読替手段と、
前記第１の代替値及び前記第２の代替値をそれぞれ暗号化に用いられた換算定数によって第１の復号化データ及び第２の復号化データへ復号化する第１復号化手段と、
前記第１の復号化データと前記第２の復号化データに基づいて前記第１起動信号及び前記第２起動信号を受け入れる認証をする第１認証手段と、
前記第１認証信号及び前記第２認証信号を受信して前記第１認証信号から前記第１の代替値及び前記第１の換算定数、前記第２認証信号から前記第２の代替値，前記第２の換算定数及び前記パターン換算定数を読取る第２読取手段と、
該第２読取手段によって読取られたパターン換算定数を前記第３の換算定数に読替える第２読替手段と、
前記第２読取手段によって読取られた第１の代替値及び第２の代替値をそれぞれ暗号化に用いられた換算定数によって第１の復号化データ及び第２の復号化データへ復号化する第２復号化手段と、
前記第１認証手段によって前記第１起動信号及び前記第２起動信号を受け入れる認証がされたときに、該第２復号化手段によって算出された第１の復号化データと第２の復号化データに基づいて前記第１認証信号及び前記第２認証信号を受け入れる認証をする第２認証手段と、を備えたことを特徴とするデータ送信システム。
【請求項９】
前記認証装置は、前記第１認証信号及び前記第２認証信号を受け入れる認証をした場合に、前記第１の復号化データ又は第２の復号化データに基づいて、外部装置へ出力信号を送出する外部出力信号送出手段を備えたことを特徴とする請求項８に記載のデータ送信システム。
【請求項１０】
前記操作装置および前記認証装置は、前記第１の復号化データと前記第２の復号化データが一致したときに認証を行うことを特徴とする請求項８に記載のデータ送信システム。
【請求項１１】
前記認証装置の第１認証手段によって前記第１起動信号及び前記第２起動信号を受け入れる認証がされた場合に、前記外部出力信号送出手段は、所定時間内にのみ外部装置へ出力信号を送信することを特徴とする請求項８に記載のデータ送信システム。
【請求項１２】
起動装置と、操作装置と、認証装置との間で、第１の換算定数，第２の換算定数及び第３の換算定数のうち少なくとも第１の換算定数又は第２の換算定数によってデータを暗号化して送信するデータ送信方法であって、
前記起動装置によって、前記第２の換算定数，又は前記第２の換算定数及び前記第３の換算定数を用いて前記送信データを第１の代替値に暗号化し前記第１の換算定数，又は前記第１の換算定数及び前記第３の換算定数を用いて前記送信データを第２の代替値へ暗号化する第１暗号化ステップと、
前記起動装置によって、前記第１の代替値及び前記第１の換算定数を含む第１起動信号を生成する第１起動信号生成ステップと、
前記起動装置によって、前記第２の代替値，前記第２の換算定数及び前記パターン換算定数を含む第２起動信号を生成する第２起動信号生成ステップと、
前記起動装置によって、前記第１起動信号及び前記第２起動信号を前記認証装置へ送信する送信ステップと、
前記認証装置によって、前記第１起動信号及び前記第２起動信号を受信して前記第１起動信号から前記第１の代替値及び前記第１の換算定数を読取り、前記第２起動信号から前記第２の代替値，前記第２の換算定数及び前記パターン換算定数を読取る第１読取ステップと、
前記認証装置によって、前記パターン換算定数と第３の換算定数とを対応づけたパターン換算定数データに基づいて、前記第１読取ステップで読取ったパターン換算定数を前記第３の換算定数に読替える第１読替ステップと、
前記認証装置によって、前記第１読取ステップで読取った第１の代替値及び第２の代替値をそれぞれ暗号化に用いられた換算定数によって第１の復号化データ及び第２の復号化データへ復号化する第１復号化ステップと、
前記認証装置によって、前記第１復号化ステップで算出した第１の復号化データと第２の復号化データに基づいて前記第１起動信号及び前記第２起動信号を受け入れる認証をする第１認証ステップと、
前記操作装置によって、送信データ，前記第１の換算定数，前記第２の換算定数及び前記第３の換算定数を選択する選択ステップと、
前記操作装置によって、前記選択ステップで選択した第２の換算定数，又は第２の換算定数及び第３の換算定数を用いて前記送信データを第１の代替値に暗号化し前記選択ステップで選択した第１の換算定数，又は第１の換算定数及び第３の換算定数を用いて前記送信データを第２の代替値へ暗号化する第２暗号化ステップと、
前記操作装置によって、前記第２暗号化ステップで算出した第１の代替値及び前記選択ステップで選択した第１の換算定数を含む第１認証信号を生成する第１認証信号生成ステップと、
前記操作装置によって、前記第２暗号化ステップで算出した第２の代替値，前記選択ステップで選択した第２の換算定数及び前記選択ステップで選択した第２の換算定数に対応するパターン換算定数を含む第２認証信号を生成する第２認証信号生成ステップと、
前記操作装置によって、前記第１認証信号及び前記第２認証信号を前記認証装置へ送信する送信ステップと、
前記認証装置によって、前記第１認証信号及び前記第２認証信号を受信して前記第１認証信号から前記第１の代替値及び前記第１の換算定数、前記第２認証信号から前記第２の代替値，前記第２の換算定数及び前記パターン換算定数を読取る第２読取ステップと、
前記認証装置によって、前記パターン換算定数と第３の換算定数とを対応づけたパターン換算定数データに基づいて、前記第２読取ステップで読取ったパターン換算定数を前記第３の換算定数に読替える第２読替ステップと、
前記認証装置によって、前記第２読取ステップで読取った第１の代替値及び第２の代替値をそれぞれ暗号化に用いられた換算定数によって第１の復号化データ及び第２の復号化データへ復号化する第２復号化ステップと、
前記認証装置によって、前記第１認証ステップで前記第１起動信号及び前記第２起動信号を受け入れる認証がされたときに、前記第２復号化ステップで算出した第１の復号化データと第２の復号化データに基づいて前記第１認証信号及び前記第２認証信号を受け入れる認証をする第２認証ステップと、を備えたことを特徴とするデータ送信方法。
【請求項１３】
第１の換算定数，第２の換算定数及び第３の換算定数のうち少なくとも第１の換算定数又は第２の換算定数によって暗号化された送信データを受信するデータ受信装置であって、
前記第３の換算定数及び該第３の換算定数に対応するパターン換算定数を記憶する記憶部と、
前記第２の換算定数，又は前記第２の換算定数及び前記第３の換算定数を用いて前記送信データを暗号化した第１の代替値と，第１の換算定数と，が含まれる第１起動信号及び第１認証信号、および前記第１の換算定数，又は前記第１の換算定数及び前記第３の換算定数を用いて前記送信データを暗号化した第２の代替値と，前記第２の換算定数と，前記第３の換算定数に対応するパターン換算定数と，が含まれる第２起動信号及び第２認証信号を受信する受信部と、
前記第１起動信号及び前記第１認証信号から前記第１の代替値及び前記第１の換算定数を読取り、前記第２起動信号及び前記第２認証信号から前記第２の代替値，前記第２の換算定数及び前記パターン換算定数を読取る読取処理，
該読取処理によって読取られたパターン換算定数を前記第３の換算定数に読替える処理，
前記第１の代替値及び前記第２の代替値をそれぞれ暗号化に用いられた換算定数によって第１の復号化データ及び第２の復号化データへ復号化する復号化処理，
前記第１の復号化データと前記第２の復号化データに基づいて、前記第１起動信号及び前記第２起動信号を受け入れる認証が行われたときに、前記第１認証信号と第２認証信号を受け入れる認証をする認証処理，を行う制御部と、を備えたことを特徴とするデータ受信装置。
【請求項１４】
前記制御部は、前記第１起動信号及び前記第２起動信号を受け入れる認証をした場合に、所定時間内にのみ前記第１認証信号と第２認証信号を受け入れる認証をすることを特徴とする請求項１３に記載のデータ受信装置。
【発明の詳細な説明】
【技術分野】
【０００１】
本発明は、データ送信システム及びデータ送信方法並びに装置に係り、特に第三者による成りすまし送信を防ぐことができるデータ送信システム及びデータ送信方法並びに装置に関する。
【背景技術】
【０００２】
従来から、送信者側で送信すべきデータの暗号化を行い、該暗号化データと該暗号化データを復号化するための暗号鍵とを別々の回線（例えば、衛星通信回線と地上回線）によって受信者側へ送信する技術がある。（例えば、特許文献１参照）。
受信者側では、暗号化されたデータと暗号鍵とを別々に受信し、これらにより元のデータを復号化することができる。このように別々の回線で暗号化データと暗号鍵が送信されることにより、データ送信の秘匿性を高めることができる。
【０００３】
【特許文献１】特許第３０５２３２２号公報（第２−３頁、第１−２図）
【発明の開示】
【発明が解決しようとする課題】
【０００４】
しかし、受信側では、データの送信者を認証することなくデータを受信するため、本来送信するはずの送信者に成り代わって第三者によって送信が行われても、送信者を認証することができなかった。
【０００５】
本発明は、上記課題を解決するためになされたものであり、受信側で送信側の認証を確実に行うことができ、本来の送信者になりかわって第三者がデータを送信する成りすまし送信を防ぐことができるデータ送信システム及びデータ送信方法並びに装置を提供することにある。
【課題を解決するための手段】
【０００６】
本発明のデータ送信システムは、起動装置と、操作装置と、認証装置との間で、第１の換算定数，第２の換算定数及び第３の換算定数のうち少なくとも第１の換算定数又は第２の換算定数によってデータを暗号化して送信するデータ送信システムであって、前記起動装置は、送信データ，前記第１の換算定数，前記第２の換算定数，前記第３の換算定数及び該第３の換算定数に対応するパターン換算定数を記憶する第１記憶手段と、前記第２の換算定数，又は前記第２の換算定数及び前記第３の換算定数を用いて前記送信データを第１の代替値に暗号化し前記第１の換算定数，又は前記第１の換算定数及び前記第３の換算定数を用いて前記送信データを第２の代替値へ暗号化する第１暗号化手段と、前記第１の代替値及び前記第１の換算定数を含む第１起動信号を生成する第１起動信号生成手段と、前記第２の代替値，前記第２の換算定数及び前記パターン換算定数を含む第２起動信号を生成する第２起動信号生成手段と、前記第１起動信号及び前記第２起動信号を前記操作装置へ送信する送信手段と、を備え、前記操作装置は、前記第３の換算定数及び該第３の換算定数に対応するパターン換算定数を記憶する第２記憶手段と、前記第１起動信号及び前記第２起動信号を受信して前記第１起動信号から前記第１の代替値及び前記第１の換算定数を読取り、前記第２起動信号から前記第２の代替値，前記第２の換算定数及び前記パターン換算定数を読取る第１読取手段と、該第１読取手段によって読取られたパターン換算定数を前記第３の換算定数に読替える第１読替手段と、前記第１の代替値及び前記第２の代替値をそれぞれ暗号化に用いられた換算定数によって第１の復号化データ及び第２の復号化データへ復号化する第１復号化手段と、前記第１の復号化データと前記第２の復号化データに基づいて前記第１起動信号及び前記第２起動信号を受け入れる認証をする第１認証手段と、送信データ，前記第１の換算定数，前記第２の換算定数及び前記第３の換算定数を選択する選択手段と、該選択手段によって選択された第２の換算定数，又は前記第２の換算定数及び前記第３の換算定数を用いて前記送信データを第１の代替値に暗号化し前記選択手段によって選択された第１の換算定数，又は前記第１の換算定数及び前記第３の換算定数を用いて前記送信データを第２の代替値へ暗号化する第２暗号化手段と、該第２暗号化手段によって算出された第１の代替値及び前記選択手段によって選択された第１の換算定数を含む第１認証信号を生成する第１認証信号生成手段と、前記第２暗号化手段によって算出された第２の代替値，前記選択手段によって選択された第２の換算定数及び前記選択手段によって選択された第３の換算定数に対応するパターン換算定数を含む第２認証信号を生成する第２認証信号生成手段と、前記第１認証手段で前記第１起動信号及び前記第２起動信号を受け入れる認証がされたときに、前記第１認証信号及び前記第２認証信号を前記認証装置へ送信する送信手段と、を備え、前記認証装置は、前記第３の換算定数及び該第３の換算定数に対応するパターン換算定数を記憶する第３記憶手段と、前記第１認証信号及び前記第２認証信号を受信して前記第１認証信号から前記第１の代替値及び前記第１の換算定数、前記第２認証信号から前記第２の代替値，前記第２の換算定数及び前記パターン換算定数を読取る第２読取手段と、該第２読取手段によって読取られたパターン換算定数を前記第３の換算定数に読替える第２読替手段と、前記第２読取手段によって読取られた第１の代替値及び第２の代替値をそれぞれ暗号化に用いられた換算定数によって第１の復号化データ及び第２の復号化データへ復号化する第２復号化手段と、該第２復号化手段によって算出された第１の復号化データと第２の復号化データに基づいて前記第１認証信号及び前記第２認証信号を受け入れる認証をする第２認証手段と、を備えたことを特徴とする。
【０００７】
このように本発明によれば、第１信号（第１起動信号，第１認証信号）に含まれる暗号化データを暗号化した第２の換算定数は、第２信号（第２起動信号，第２認証信号）に含めて送信され、第２信号に含まれる暗号化データを暗号化した第１の換算定数は、第１信号に含めて送信される。
さらに、第３の換算定数そのものは送信されず、第３の換算定数に対応するパターン換算定数が第２信号に含められて送信される。そして、このパターン換算定数は、受信側で第３の換算定数へ変換される。
これにより、受信側では、暗号鍵である第１の換算定数，第２の換算定数，第３の換算定数を得ることができ、暗号化データを復号化することができる。そして、第１信号および第２信号をそれぞれ復号化して第１信号および第２信号の認証を行うことができる。
【０００８】
このように送信することにより、第三者が第１信号又は第２信号の一方を取得したとしても、それぞれの信号には換算定数のすべての換算定数が含まれていないので、復号化を行うことはできない。また、第三者が第１信号及び第２信号の双方を取得したとしてもパターン換算定数が不明であるので、暗号化データを復号化することはできない。
このように、本発明によれば第三者が暗号化データを不正に取得したとしても、暗号化データの復号化を有意に行うことができず、送信データの秘匿性を高めることができる。
【０００９】
さらに、本発明は、起動装置から操作装置へ起動信号の送出が行われ、その起動信号の認証が操作装置で行われる。また、操作装置から認証装置へは認証信号の送出がおこなわれるが、認証信号を送出するためには、操作装置で起動信号の認証が行われたことが条件となる。したがって、第三者は操作装置のみによって認証装置へ認証信号を送出することはできず、成りすまし送信をすることはできない。
【００１０】
また、前記認証装置は、前記第１認証信号及び前記第２認証信号を受け入れる認証をした場合に、前記第１の復号化データ又は第２の復号化データに基づいて、外部装置へ出力信号を送出する外部出力信号送出手段を備えれば好適である。
また、前記操作装置の第１認証手段によって前記第１起動信号及び前記第２起動信号を受け入れる認証がされた場合に、前記操作装置の送信手段は、所定時間内にのみ前記第１認証信号及び前記第２認証信号を送信するように構成すれば好適である。
【００１１】
また、本発明のデータ送信方法は、起動装置と、操作装置と、認証装置との間で、第１の換算定数，第２の換算定数及び第３の換算定数うち少なくとも第１の換算定数又は第２の換算定数によってデータを暗号化して送信するデータ送信方法であって、前記起動装置によって、前記第２の換算定数，又は前記第２の換算定数及び前記第３の換算定数を用いて前記送信データを第１の代替値に暗号化し前記第１の換算定数，又は前記第１の換算定数及び前記第３の換算定数を用いて前記送信データを第２の代替値へ暗号化する第１暗号化ステップと、前記起動装置によって、前記第１の代替値及び前記第１の換算定数を含む第１起動信号を生成する第１起動信号生成ステップと、前記起動装置によって、前記第２の代替値，前記第２の換算定数及び前記パターン換算定数を含む第２起動信号を生成する第２起動信号生成ステップと、前記起動装置によって、前記第１起動信号及び前記第２起動信号を前記操作装置へ送信する送信ステップと、前記操作装置によって、前記第１起動信号及び前記第２起動信号を受信して前記第１起動信号から前記第１の代替値及び前記第１の換算定数を読取り、前記第２起動信号から前記第２の代替値，前記第２の換算定数及び前記パターン換算定数を読取る第１読取ステップと、前記操作装置によって、前記パターン換算定数と第３の換算定数とを対応づけたパターン換算定数データに基づいて、前記第１読取ステップで読取ったパターン換算定数を前記第３の換算定数に読替える第１読替ステップと、前記操作装置によって、前記第１読取ステップで読取った第１の代替値及び第２の代替値をそれぞれ暗号化に用いられた換算定数によって第１の復号化データ及び第２の復号化データへ復号化する第１復号化ステップと、前記操作装置によって、前記第１復号化ステップで算出した第１の復号化データと第２の復号化データに基づいて前記第１起動信号及び前記第２起動信号を受け入れる認証をする第１認証ステップと、前記操作装置によって、送信データ，前記第１の換算定数，前記第２の換算定数及び前記第３の換算定数を選択する選択ステップと、前記操作装置によって、前記選択ステップで選択した第２の換算定数，又は第２の換算定数及び第３の換算定数を用いて前記送信データを第１の代替値に暗号化し前記選択ステップで選択した第１の換算定数，又は第１の換算定数及び第３の換算定数を用いて前記送信データを第２の代替値へ暗号化する第２暗号化ステップと、前記操作装置によって、前記第２暗号化ステップで算出した第１の代替値及び前記選択ステップで選択した第１の換算定数を含む第１認証信号を生成する第１認証信号生成ステップと、前記操作装置によって、前記第２暗号化ステップで算出した第２の代替値，前記選択ステップで選択した第２の換算定数及び前記選択ステップで選択した第２の換算定数に対応するパターン換算定数を含む第２認証信号を生成する第２認証信号生成ステップと、前記操作装置によって、前記第１認証信号及び前記第２認証信号を前記認証装置へ送信する送信ステップと、前記認証装置によって、前記第１認証信号及び前記第２認証信号を受信して前記第１認証信号から前記第１の代替値及び前記第１の換算定数、前記第２認証信号から前記第２の代替値，前記第２の換算定数及び前記パターン換算定数を読取る第２読取ステップと、前記認証装置によって、前記パターン換算定数と第３の換算定数とを対応づけたパターン換算定数データに基づいて、前記第２読取ステップで読取ったパターン換算定数を前記第３の換算定数に読替える第２読替ステップと、前記認証装置によって、前記第２読取ステップで読取った第１の代替値及び第２の代替値をそれぞれ暗号化に用いられた換算定数によって第１の復号化データ及び第２の復号化データへ復号化する第２復号化ステップと、前記認証装置によって、前記第２復号化ステップで算出した第１の復号化データと第２の復号化データに基づいて前記第１認証信号及び前記第２認証信号を受け入れる認証をする第２認証ステップと、を備えたことを特徴とする。
【００１２】
また、本発明のデータ送信システムには、第１の換算定数，第２の換算定数及び第３の換算定数のうち少なくとも第１の換算定数又は第２の換算定数によって暗号化されたデータを送受信するデータ送受信装置であって、前記第３の換算定数及び該第３の換算定数に対応するパターン換算定数を記憶する記憶部と、前記第２の換算定数，又は前記第２の換算定数及び前記第３の換算定数を用いて前記送信データを暗号化した第１の代替値と，第１の換算定数と，が含まれる第１起動信号、および前記第１の換算定数，又は前記第１の換算定数及び前記第３の換算定数を用いて前記送信データを暗号化した第２の代替値と，前記第２の換算定数と，前記第３の換算定数に対応するパターン換算定数と，が含まれる第２起動信号を受信する受信部と、前記第１起動信号から前記第１の代替値及び前記第１の換算定数を読取り、前記第２起動信号から前記第２の代替値，前記第２の換算定数及び前記パターン換算定数を読取る読取処理，該読取処理によって読取られたパターン換算定数を前記第３の換算定数に読替える処理，前記第１の代替値及び前記第２の代替値をそれぞれ暗号化に用いられた換算定数によって第１の復号化データ及び第２の復号化データへ復号化する復号化処理，前記第１の復号化データと前記第２の復号化データに基づいて前記第１起動信号及び前記第２起動信号を受け入れる認証をする認証処理，送信データ，前記第１の換算定数，前記第２の換算定数及び前記第３の換算定数を選択する選択処理，該選択処理によって選択された第２の換算定数，又は第２の換算定数及び第３の換算定数を用いて前記送信データを第１の代替値に暗号化し前記選択処理によって選択された第１の換算定数，又は第１の換算定数及び第３の換算定数を用いて前記送信データを第２の代替値へ暗号化する暗号化処理，該暗号化処理によって算出された前記第１の代替値及び前記選択処理によって選択された第１の換算定数を含む第１認証信号を生成する第１認証信号生成処理，前記暗号化処理によって算出された第２の代替値，前記選択処理によって選択された第２の換算定数及び前記選択処理によって選択された第３の換算定数に対応するパターン換算定数を含む第２認証信号を生成する第２認証信号生成処理，前記第１認証信号及び前記第２認証信号を送信する送信処理，を行う制御部と、前記第１認証信号及び前記第２認証信号を外部へ送信する送信部と、を備えたデータ送受信装置を用いることができる。
【００１３】
このデータ送受信装置において、前記制御部は、前記第１起動信号及び前記第２起動信号を受け入れる認証をした場合に、所定時間内にのみ前記送信処理を行なうようにすれば好適である。
【００１４】
また、本発明のデータ送信システムは、起動装置と、操作装置と、認証装置との間で、第１の換算定数，第２の換算定数及び第３の換算定数のうち少なくとも第１の換算定数又は第２の換算定数によってデータを暗号化して送信するデータ送信システムであって、前記起動装置は、送信データ，前記第１の換算定数，前記第２の換算定数，前記第３の換算定数及び該第３の換算定数に対応するパターン換算定数を記憶する第１記憶手段と、前記第２の換算定数，又は前記第２の換算定数及び前記第３の換算定数を用いて前記送信データを第１の代替値に暗号化し前記第１の換算定数，又は前記第１の換算定数及び前記第３の換算定数を用いて前記送信データを第２の代替値へ暗号化する第１暗号化手段と、前記第１の代替値及び前記第１の換算定数を含む第１起動信号を生成する第１起動信号生成手段と、前記第２の代替値，前記第２の換算定数及び前記パターン換算定数を含む第２起動信号を生成する第２起動信号生成手段と、前記第１起動信号及び前記第２起動信号を前記認証装置へ送信する送信手段と、を備え、前記操作装置は、前記第３の換算定数及び該第３の換算定数に対応するパターン換算定数を記憶する第２記憶手段と、送信データ，前記第１の換算定数，前記第２の換算定数及び前記第３の換算定数を選択する選択手段と、該選択手段によって選択された第２の換算定数，又は前記第２の換算定数及び前記第３の換算定数を用いて前記送信データを第１の代替値に暗号化し前記選択手段によって選択された第１の換算定数，又は前記第１の換算定数及び前記第３の換算定数を用いて前記送信データを第２の代替値へ暗号化する第２暗号化手段と、該第２暗号化手段によって算出された第１の代替値及び前記選択手段によって選択された第１の換算定数を含む第１認証信号を生成する第１認証信号生成手段と、前記第２暗号化手段によって算出された第２の代替値，前記選択手段によって選択された第２の換算定数及び前記選択手段によって選択された第３の換算定数に対応するパターン換算定数を含む第２認証信号を生成する第２認証信号生成手段と、前記第１認証信号及び前記第２認証信号を前記認証装置へ送信する送信手段と、を備え、前記認証装置は、前記第３の換算定数及び該第３の換算定数に対応するパターン換算定数を記憶する第３記憶手段と、前記第１起動信号及び前記第２起動信号を受信して前記第１起動信号から前記第１の代替値及び前記第１の換算定数を読取り、前記第２起動信号から前記第２の代替値，前記第２の換算定数及び前記パターン換算定数を読取る第１読取手段と、該第１読取手段によって読取られたパターン換算定数を前記第３の換算定数に読替える第１読替手段と、前記第１の代替値及び前記第２の代替値をそれぞれ暗号化に用いられた換算定数によって第１の復号化データ及び第２の復号化データへ復号化する第１復号化手段と、前記第１の復号化データと前記第２の復号化データに基づいて前記第１起動信号及び前記第２起動信号を受け入れる認証をする第１認証手段と、前記第１認証信号及び前記第２認証信号を受信して前記第１認証信号から前記第１の代替値及び前記第１の換算定数、前記第２認証信号から前記第２の代替値，前記第２の換算定数及び前記パターン換算定数を読取る第２読取手段と、該第２読取手段によって読取られたパターン換算定数を前記第３の換算定数に読替える第２読替手段と、前記第２読取手段によって読取られた第１の代替値及び第２の代替値をそれぞれ暗号化に用いられた換算定数によって第１の復号化データ及び第２の復号化データへ復号化する第２復号化手段と、前記第１認証手段によって前記第１起動信号及び前記第２起動信号を受け入れる認証がされたときに、該第２復号化手段によって算出された第１の復号化データと第２の復号化データに基づいて前記第１認証信号及び前記第２認証信号を受け入れる認証をする第２認証手段と、を備えた構成としてもよい。
【００１５】
このように、認証装置では起動装置からの起動信号を認証しなければ、操作装置からの認証信号を認証しないので、第三者が認証装置のみによって認証装置に認証信号を送出しても、認証されることはない。したがって、第三者による成りすまし送信を防ぐことができる。
【００１６】
また、前記認証装置は、前記第１認証信号及び前記第２認証信号を受け入れる認証をした場合に、前記第１の復号化データ又は第２の復号化データに基づいて、外部装置へ出力信号を送出する外部出力信号送出手段を備えれば好適である。
また、前記操作装置および前記認証装置は、前記第１の復号化データと前記第２の復号化データが一致したときに認証を行う構成とすることができる。
また、前記認証装置の第１認証手段によって前記第１起動信号及び前記第２起動信号を受け入れる認証がされた場合に、前記外部出力信号送出手段は、所定時間内にのみ外部装置へ出力信号を送信するように構成すれば好適である。
【００１７】
また、本発明のデータ送信方法は、起動装置と、操作装置と、認証装置との間で、第１の換算定数，第２の換算定数及び第３の換算定数のうち少なくとも第１の換算定数又は第２の換算定数によってデータを暗号化して送信するデータ送信方法であって、前記起動装置によって、前記第２の換算定数，又は前記第２の換算定数及び前記第３の換算定数を用いて前記送信データを第１の代替値に暗号化し前記第１の換算定数，又は前記第１の換算定数及び前記第３の換算定数を用いて前記送信データを第２の代替値へ暗号化する第１暗号化ステップと、前記起動装置によって、前記第１の代替値及び前記第１の換算定数を含む第１起動信号を生成する第１起動信号生成ステップと、前記起動装置によって、前記第２の代替値，前記第２の換算定数及び前記パターン換算定数を含む第２起動信号を生成する第２起動信号生成ステップと、前記起動装置によって、前記第１起動信号及び前記第２起動信号を前記認証装置へ送信する送信ステップと、前記認証装置によって、前記第１起動信号及び前記第２起動信号を受信して前記第１起動信号から前記第１の代替値及び前記第１の換算定数を読取り、前記第２起動信号から前記第２の代替値，前記第２の換算定数及び前記パターン換算定数を読取る第１読取ステップと、前記認証装置によって、前記パターン換算定数と第３の換算定数とを対応づけたパターン換算定数データに基づいて、前記第１読取ステップで読取ったパターン換算定数を前記第３の換算定数に読替える第１読替ステップと、前記認証装置によって、前記第１読取ステップで読取った第１の代替値及び第２の代替値をそれぞれ暗号化に用いられた換算定数によって第１の復号化データ及び第２の復号化データへ復号化する第１復号化ステップと、前記認証装置によって、前記第１復号化ステップで算出した第１の復号化データと第２の復号化データに基づいて前記第１起動信号及び前記第２起動信号を受け入れる認証をする第１認証ステップと、前記操作装置によって、送信データ，前記第１の換算定数，前記第２の換算定数及び前記第３の換算定数を選択する選択ステップと、前記操作装置によって、前記選択ステップで選択した第２の換算定数，又は第２の換算定数及び第３の換算定数を用いて前記送信データを第１の代替値に暗号化し前記選択ステップで選択した第１の換算定数，又は第１の換算定数及び第３の換算定数を用いて前記送信データを第２の代替値へ暗号化する第２暗号化ステップと、前記操作装置によって、前記第２暗号化ステップで算出した第１の代替値及び前記選択ステップで選択した第１の換算定数を含む第１認証信号を生成する第１認証信号生成ステップと、前記操作装置によって、前記第２暗号化ステップで算出した第２の代替値，前記選択ステップで選択した第２の換算定数及び前記選択ステップで選択した第２の換算定数に対応するパターン換算定数を含む第２認証信号を生成する第２認証信号生成ステップと、前記操作装置によって、前記第１認証信号及び前記第２認証信号を前記認証装置へ送信する送信ステップと、前記認証装置によって、前記第１認証信号及び前記第２認証信号を受信して前記第１認証信号から前記第１の代替値及び前記第１の換算定数、前記第２認証信号から前記第２の代替値，前記第２の換算定数及び前記パターン換算定数を読取る第２読取ステップと、前記認証装置によって、前記パターン換算定数と第３の換算定数とを対応づけたパターン換算定数データに基づいて、前記第２読取ステップで読取ったパターン換算定数を前記第３の換算定数に読替える第２読替ステップと、前記認証装置によって、前記第２読取ステップで読取った第１の代替値及び第２の代替値をそれぞれ暗号化に用いられた換算定数によって第１の復号化データ及び第２の復号化データへ復号化する第２復号化ステップと、前記認証装置によって、前記第１認証ステップで前記第１起動信号及び前記第２起動信号を受け入れる認証がされたときに、前記第２復号化ステップで算出した第１の復号化データと第２の復号化データに基づいて前記第１認証信号及び前記第２認証信号を受け入れる認証をする第２認証ステップと、を備えたことを特徴とする。
【００１８】
また、本発明のデータ送信システムにおいて、第１の換算定数，第２の換算定数及び第３の換算定数のうち少なくとも第１の換算定数又は第２の換算定数によって暗号化された送信データを受信するデータ受信装置であって、前記第３の換算定数及び該第３の換算定数に対応するパターン換算定数を記憶する記憶部と、前記第２の換算定数，又は前記第２の換算定数及び前記第３の換算定数を用いて前記送信データを暗号化した第１の代替値と，第１の換算定数と，が含まれる第１起動信号及び第１認証信号、および前記第１の換算定数，又は前記第１の換算定数及び前記第３の換算定数を用いて前記送信データを暗号化した第２の代替値と，前記第２の換算定数と，前記第３の換算定数に対応するパターン換算定数と，が含まれる第２起動信号及び第２認証信号を受信する受信部と、前記第１起動信号及び前記第１認証信号から前記第１の代替値及び前記第１の換算定数を読取り、前記第２起動信号及び前記第２認証信号から前記第２の代替値，前記第２の換算定数及び前記パターン換算定数を読取る読取処理，該読取処理によって読取られたパターン換算定数を前記第３の換算定数に読替える処理，前記第１の代替値及び前記第２の代替値をそれぞれ暗号化に用いられた換算定数によって第１の復号化データ及び第２の復号化データへ復号化する復号化処理，前記第１の復号化データと前記第２の復号化データに基づいて、前記第１起動信号及び前記第２起動信号を受け入れる認証が行われたときに、前記第１認証信号と第２認証信号を受け入れる認証をする認証処理，を行う制御部と、を備えたデータ受信装置を用いることができる。
【００１９】
このデータ受信装置において、前記制御部は、前記第１起動信号及び前記第２起動信号を受け入れる認証をした場合に、所定時間内にのみ前記第１認証信号と第２認証信号を受け入れる認証をするように構成すれば好適である。
【発明の効果】
【００２０】
本発明によれば、本来の送信者になりかわって第三者がデータを送信しても、受信側で送信データの認証を行うことができ、成りすまし送信を防ぐことができるデータ送信システム及びデータ送信方法並びに装置を提供することができる。
【発明を実施するための最良の形態】
【００２１】
本発明の実施の形態について図面を参照して説明する。図１〜図１７は一実施例に係るものであり、図１は送信システムの全体説明図、図２はＤチップの構成図、図３はＩＤカードの構成図、図４はカードリーダーの構成図である。
図５はパターン換算定数データの説明図、図６はＩＤチップにおける処理の流れ図、図７はＩＤチップにおける暗号化法の説明図、図８は起動信号の説明図である。
図９はＩＤカードにおける処理の流れ図、図１０はＩＤカードにおける処理の流れ図、図１１，図１２はＩＤカードにおける復号化法の説明図である。
図１３はカードリーダーにおける暗号化法の説明図、図１４は認証信号の説明図、図１５はカードリーダーにおける処理の流れ図、図１６，図１７はカードリーダーにおける復号化法の説明図である。
図１８〜図２０は別実施例に係る送信システムの全体説明図である。また、以下に説明する配置、処理手順、構成等は、本発明を限定するものではなく、本発明の趣旨に沿って各種改変することができることは勿論である。
【００２２】
図１に基づき本発明のデータ送信システムＳを概略説明する。
本データ送信システムＳでは、まず起動装置１から操作装置２へ暗号化信号である第１起動信号Ｃ１と第２起動信号Ｃ２が時間差を設けて順次送信される。操作装置２ではこれらの信号を復号化して認証を行う。
認証の結果、起動装置１からの信号が正しいものであると判断されることを条件に、操作装置２から認証装置３へ第１認証信号Ｓ１と第２認証信号Ｓ２が時間差を設けて順次送信される。そして、認証装置３によってこれらの信号の認証が行われると、操作装置２からの信号が正しいものであると判断されると、外部装置４へ外部出力信号が出力される。この外部出力信号は、例えば、認証／否認証出力，Ｏｎ／Ｏｆｆ出力，Ｌｏｇｇｅｒ出力等である。これらの間の信号送信は、赤外線通信，無線電波，光通信等によって行われる。
このように、本システムＳでは、二重に認証された場合に外部出力信号が出力されるように構成されている。したがって、例えば、第三者が操作装置２を許可なく操作して、認証装置３へ信号を出力しようとしても、第１認証信号Ｓ１と第２認証信号Ｓ２を送信することができない。これにより、第三者による成りすまし送信を防止することができる。
【００２３】
起動装置１にはユーザーを特定するためのＩＤ番号（送信データＤ）、暗号鍵としての換算定数ｘ，ｙ（第１の換算定数，第２の換算定数）、暗号鍵としてのパターン換算定数ｚが登録されている。また、パターン換算定数ｚに対応させて換算定数ｚ´（第３の換算定数）が登録されている。
起動装置１が作動すると、送信データＤは、それぞれ換算定数ｙとｚ´の組合せによって暗号化データＤ（ｙ，ｚ´）に暗号化され、また換算定数ｘとｚ´の組合せによって暗号化データＤ（ｘ，ｚ´）に暗号化される。
第１起動信号Ｃ１には、暗号化データＤ（ｙ，ｚ´），換算定数ｘが含まれる。また、第２起動信号Ｃ２には、暗号化データＤ（ｘ，ｚ´），換算定数ｙ，パターン換算定数ｚが含まれる。第１起動信号Ｃ１，第２起動信号Ｃ２は操作装置２へ時間をずらして送信される。
【００２４】
操作装置２には、パターン換算定数ｚと換算定数ｚ´が対応付けられたパターン換算定数データが記憶されている。このパターン換算定数データは、起動装置１が有するパターン換算定数ｚおよびこれに対応する換算定数ｚ´を含むものである。
操作装置２では、第１起動信号Ｃ１から換算定数ｘ、第２起動信号Ｃ２から換算定数ｙ，パターン換算定数ｚが読取られる。読取られたパターン換算定数ｚは、パターン換算定数データが参照されて換算定数ｚ´に読替えられる。そして、第１起動信号Ｃ１は換算定数ｙ，ｚ´によって復号化され、送信データＤ１が算出される。また、第２起動信号Ｃ２は換算定数ｘ，ｚ´によって復号化され、送信データＤ２が算出される。
そして、第１起動信号Ｃ１，第２起動信号Ｃ２からそれぞれ算出された送信データＤ１とＤ２が等しければこれらの信号が認証され、算出されたデータが送信データＤとして採用される。
【００２５】
認証が行われると、操作装置２は所定時間（例えば、１５秒間）だけ活性状態となり、認証装置３へ第１認証信号Ｓ１および第２認証信号Ｓ２を送信可能となる。本明細書では、活性状態とは、所定の処理を行うことが可能な状態になることを意味する。
この活性時間内に、ユーザーは、操作装置２を操作して、認証装置３へ第１認証信号Ｓ１および第２認証信号Ｓ２を送信して、外部装置４を操作する。
操作装置２のパターン換算定数データには、さらに認証信号生成用のパターン換算定数Ｚと換算定数Ｚ´の組合せが登録されている。なお、認証信号生成用に特別にパターン換算定数データを設けずに、起動信号復号用のパターン換算定数データを用いてもよい。
ユーザーは、操作装置２を操作すると、操作装置２では、送信データＤ、換算定数Ｘ（第１の換算定数），Ｙ（第２の換算定数）、パターン換算定数Ｚが選択される。
【００２６】
操作装置２では、送信データＤは、それぞれ換算定数ＹとＺ´（第３の換算定数）の組合せによって暗号化データＤ（Ｙ，Ｚ´）に暗号化され、換算定数ＸとＺ´の組合せによって暗号化データＤ（Ｘ，Ｚ´）に暗号化される。第１認証信号Ｓ１には、暗号化データＤ（Ｙ，Ｚ´），換算定数Ｘが含まれる。また、第２認証信号Ｓ２には、暗号化データＤ（Ｘ，Ｚ´），換算定数Ｙ，パターン換算定数Ｚが含まれる。第１認証信号Ｓ１，第２認証信号Ｓ２は認証装置３へ時間をずらして送信される。
【００２７】
認証装置３には、パターン換算定数Ｚと換算定数Ｚ´の組合せを示すパターン換算定数データが記憶されている。このパターン換算定数データは、操作装置２が有するパターン換算定数データを含むものである。
認証装置３では、第１認証信号Ｓ１から換算定数Ｘ、第２認証信号Ｓ２から換算定数Ｙ，パターン換算定数Ｚが読取られる。読取られたパターン換算定数Ｚは、パターン換算定数データが参照されて換算定数Ｚ´に読替えられる。そして、第１認証信号Ｓ１は換算定数Ｙ，Ｚ´によって復号化され、送信データＤ１が算出される。また、第２認証信号Ｓ２は換算定数Ｘ，Ｚ´によって復号化され、送信データＤ２が算出される。
そして、第１認証信号Ｓ１，第２認証信号Ｓ２からそれぞれ算出された送信データＤ１とＤ２が等しければこれらの信号が認証され、算出されたデータが送信データＤとして採用される。この送信データＤ（個人ＩＤ番号）が、認証装置３に登録されたものであるとき、外部装置４へ外部出力信号が出力される。
【００２８】
認証装置３は、外部装置４内に含まれる構成であってもよいし、別個の装置として構成されていてもよい。外部装置４は、例えば、ロックシステム，電源，コンピュータシステム等である。ロックシステムの場合には、認証する信号やＯｎ／Ｏｆｆ信号が出力されたときにのみロックを開閉操作するように構成できる。電源の場合には、Ｏｎ／Ｏｆｆ信号によって電源がオンまたはオフされるように構成できる。また、コンピュータシステムの場合には、Ｌｏｇｇｅｒ信号によってログインすることができるように構成できる。
【００２９】
なお、上記暗号化例では、起動装置１では換算定数ｙとｚ´の組合せ及び換算定数ｘ，ｚ´の組合せにより送信データＤを暗号化し、操作装置２では換算定数ＹとＺ´の組合せ及び換算定数Ｘ，Ｚ´の組合せにより送信データＤを暗号化していた。
しかし、これに限らず、起動装置１では送信データＤを換算定数ｙとｚ´の組合せによる暗号化（Ｄ（ｙ，ｚ´））及び換算定数ｘのみによる暗号化（Ｄ（ｘ））をするようにし、操作装置２では換算定数ＹとＺ´の組合せによる暗号化（Ｄ（Ｙ，Ｚ´））及び換算定数Ｘのみによる暗号化（Ｄ（Ｘ））をするようにしてもよい。
この場合、第１起動信号Ｃ１には暗号化データＤ（ｙ，ｚ´），換算定数ｘが含まれ、第２起動信号Ｃ２には暗号化データＤ（ｘ），換算定数ｙ，パターン換算定数ｚが含まれる。また、第１認証信号Ｓ１には暗号化データＤ（Ｙ，Ｚ´），換算定数Ｘが含まれ、第２認証信号Ｓ２には暗号化データＤ（Ｘ），換算定数Ｙ，パターン換算定数Ｚが含まれる。
【００３０】
また、起動装置１では送信データＤを換算定数ｙのみによる暗号化（Ｄ（ｙ）），換算定数ｘとｚ´による暗号化（Ｄ（ｘ，ｚ´））をするようにし、第１起動信号Ｃ１には暗号化データＤ（ｙ），換算定数ｘが含まれ、第２起動信号Ｃ２には暗号化データＤ（ｘ，ｚ´），換算定数ｙ，パターン換算定数ｚが含まれるようにすることもできる。操作装置２では、換算定数Ｙのみによる暗号化（Ｄ（Ｙ）），換算定数ＸとＺ´による暗号化（Ｄ（Ｘ，Ｚ´））をするようにし、第１認証信号Ｓ１には暗号化データＤ（Ｙ），換算定数Ｘが含まれ、第２認証信号Ｓ２には暗号化データＤ（Ｘ，Ｚ´），換算定数Ｙ，パターン換算定数Ｚが含まれるようにすることもできる。
【００３１】
以上のように本データ送信方法では暗号化された送信データは２つの信号で別々に送信される。このうち第１信号に含まれる暗号化データの暗号鍵（換算定数ｙまたはＹ）は第２信号に含めて送信され、第２信号に含まれる暗号化データの暗号鍵（換算定数ｘまたはＸ）は第１信号に含めて送信される。
さらに、第１信号及び第２信号に含まれる暗号化データの共通の暗号鍵（換算定数ｚ´またはＺ´）そのものは送付されず、暗号鍵に対応するパターン換算定数ｚまたはＺが第２信号に含めて送信される。
【００３２】
このように送信することにより、第三者が第１信号又は第２信号の一方を取得したとしても、それぞれの信号には換算定数のすべての換算定数が含まれていないので、復号化を行うことはできない。また、第三者が第１信号及び第２信号の双方を取得したとしてもパターン換算定数ｚまたはＺが不明であるので、送信データＤの復号化を行うことはできない。
さらに、上述のように操作装置２のみによって認証装置３へ操作信号を送信して外部装置４を作動させることはできず、必ず起動装置１によって操作装置２を活性化させなければ、操作装置２から認証装置３へ有意な信号を送信することができない。
以上のように、本システムＳでは、第三者が成りすましによって外部装置４を容易に作動させることはできないように構成されている。
【００３３】
次に、本システムＳの具体的な態様を示す。
本実施の形態では、起動装置１は、ＩＣチップを有するペアリングＩＤチップ１（以下、ＩＤチップ１という）によって構成される。ＩＤチップ１は、例えば、ユーザーが身に付ける時計や定期入れ等に埋設される。
操作装置２は、ＩＣチップを搭載したＩＤカード２または携帯電話として構成することができる。
認証装置３は、受信ヘッドを搭載したカードリーダー３として構成することができる。
これらの間での信号の送受信は、所定のキャリア周波数を有する電磁波に信号成分を載せた電磁波を使用し、電磁誘導を利用して行うことができる。したがって、これらは非接触で信号のやり取りをすることが可能である。また、これに限らず、電磁結合方式，マイクロ波方式，光方式等であってもよい。
【００３４】
図２にＩＤチップ１の構成図を示す。ＩＤチップ１は、アンテナ１３０とコンデンサ１４０よりなる共振回路にＩＣチップ１ａが接続された構成である。ＩＣチップ１ａは、ＣＰＵ１００，記憶部１１０，変復調信号処理部１２０を有している。
変復調信号処理部１２０は、アンテナ１３０から供給された信号を整流平滑し、各部に電力として供給すると共に、その信号の高域成分を抽出して復調する。復調された信号は、ＣＰＵ１００に供給され処理される。また、ＣＰＵ１００から供給された信号に対応して、所定のスイッチング素子をオンまたはオフさせ、スイッチング素子がオン状態であるときにはアンテナ１３０に接続され、外部に信号が送信される。変復調信号処理部１２０、アンテナ１３０は、送信手段として機能する。
記憶手段としての記憶部１１０はＥＥＰＲＯＭ，ＲＯＭ，ＲＡＭ等からなり、ＣＰＵ１００の制御プログラム１１１，パターン換算定数データ１１２，ＩＤ番号データ１１３等が格納され、また作業領域として機能するように構成されている。パターン換算定数データ１１２には、パターン換算定数ｚ、これに対応する換算定数ｚ´、及びその他の換算定数ｘ，ｙが記憶されている。ＩＤ番号データ１１３は、ユーザーを特定するためのＩＤ番号を有する。これらのデータは不揮発性のメモリに記憶されているので、電源が供給されないときにもデータを保持することができる。
【００３５】
ＣＰＵ１００は、データの入出力，データ送信，データの暗号化，信号生成処理等の制御を行う。ＣＰＵ１００は、暗号化手段、第１起動信号生成手段、第２起動信号生成手段、送受信手段等として機能する。また、外部からのコマンドに基づいて、ＩＤ番号データ１１３やパターン換算定数データ１１２を書き換える処理を行なう。ＣＰＵ１００は、データ暗号化，信号生成処理として、記憶部１１０に記憶されたＩＤ番号、換算定数ｘ，ｙ，ｚ´及びパターン換算定数ｚに基づいて上述の第１起動信号Ｃ１および第２起動信号Ｃ２を生成する。
なお、換算定数ｘ，ｙ，ｚ´およびパターン換算定数ｚは、複数の中から選択されるようにしてもよいし、それぞれ設定されたある１つの値が用いられるようにしてもよい。
本例のＩＤチップ１は電池を搭載していないパッシブ型であるが、これに限らず、専用の電池を搭載したアクティブ型であってもよい。
【００３６】
図３にＩＤカード２の構成図を示す。ＩＤカード２は、樹脂性の２枚の薄板の間に、アンテナ２３０，２３４、コンデンサ２４４と、これらに接続されたＩＣチップが挟持された構成である。
ＩＣチップは、アンテナ２３０に接続された変復調信号処理部２２０と、アンテナ２３４およびコンデンサ２４４からなる共振回路に接続された変復調信号処理部２２４と、制御部として機能するＣＰＵ２００と、操作パネルである入力部２０１と、ＬＥＤにより表示をおこなう表示部２０２と、記憶部２１０とを有する。
【００３７】
入力部２０１は、テンキーと、例えば「ＯＰＮ」（開）スイッチ，「ＣＬＳ」（閉）スイッチ，登録スイッチ，送信スイッチのように、ある機能に特化されたスイッチや、その他の入力スイッチを有する。
表示部２０２は、ＣＰＵ２００の出力に従いＬＥＤによる表示を行う。記憶手段としての記憶部２１０は、ＥＥＰＲＯＭ，ＲＯＭ，ＲＡＭ等からなり、ＣＰＵ２００の制御プログラム２１１，パターン換算定数データ２１２，ＩＤ番号データ２１３等のデータが格納されており、また作業領域として機能するように構成されている。ＩＤ番号データ２１３は、ユーザーを特定するためのＩＤ番号を有する。これらのデータは不揮発性のメモリに記憶されているので、電源が供給されないときにもデータを保持することができる。パターン換算定数データ２１２には、ＩＤチップ１が記憶するパターン換算定数ｚおよびこれに対応する換算定数ｚ´を少なくとも有している。
【００３８】
ＣＰＵ２００は、データの入出力，データ送信，換算定数選択処理，データの暗号化・復号化，信号生成処理等の制御を行う。ＣＰＵ２００は、読取手段、読替手段、復号化手段、認証手段、選択手段、暗号化手段、第１認証信号生成手段、第２認証信号生成手段、送受信手段等として機能する。
変復調信号処理部２２０は、ＩＤチップ１とのデータ送受信に用いられる。また、変復調信号処理部２２４は、カードリーダー３とのデータ送受信に用いられる。なお、変復調信号処理部２２４は、変復調信号処理部１２０と同様の機能を有する。
ＣＰＵ２００は、ＩＤチップ１へ送信するコマンドを生成し、変復調信号処理部２２０へ送出する。変復調信号処理部２２０は、所定の周波数の搬送波にコマンドを載せて変調し、生成された変調波を電磁波としてアンテナ２３０からＩＤチップ１へ向けて出力する。また、変復調信号処理部２２０は、アンテナ２３０を介してＩＤチップ１から送信された変調波を復調し、復調されたデータをＣＰＵ２００へ出力する。
アンテナ２３０は、所定の電磁波を輻射し、それに対する負荷の変化に基づいて、ＩＤチップ１が近接されたか否かを検出する。そして、ＩＤチップ１が近接されたとき、アンテナ２３０はＩＤチップ１とデータを送受信する。
【００３９】
ＩＤカード２では、ＩＤチップ１から第１起動信号Ｃ１および第２起動信号Ｃ２をアンテナ２３０を介して受信し、変復調信号処理部２２０で高域成分を抽出して、第１起動信号Ｃ１および第２起動信号Ｃ２を読取って、ＣＰＵ２００へ供給する。そして、ＣＰＵ２００は、復号化処理として、供給された第１起動信号Ｃ１および第２起動信号Ｃ２を後述するように復号化し、認証処理を行う。認証によって正しい信号を受信したと判断された場合には、タイマー処理が開始される。
データ暗号化，信号生成処理としてＣＰＵ２００は、記憶部２１０に記憶されたＩＤ番号、選択された換算定数Ｘ，Ｙ，Ｚ´及びパターン換算定数Ｚに基づいて上述の第１認証信号Ｓ１および第２認証信号Ｓ２を生成する。換算定数Ｘ，Ｙ，Ｚ´およびパターン換算定数Ｚは、信号生成の度に複数の中からランダムに選択されるように構成されている。
そして、生成された信号が変復調信号処理部２２４で処理され、アンテナ２３４を介して第１認証信号Ｓ１および第２認証信号Ｓ２がカードリーダー３へ向けて送信される。
【００４０】
これらの処理は、上述のタイマー処理において、所定時間（本例の場合、１５秒間）内に行うことができる。したがって、所定時間が経過すると、送信途中であっても割込み処理によって送信処理が打ち切られる。このように、ＩＤチップ１からの信号は、ＩＤカード２が第１認証信号Ｓ１および第２認証信号Ｓ２を生成・送信処理するための活性化時間創出のために用いられる。
なお、本例では、第１認証信号Ｓ１および第２認証信号Ｓ２に載せるためのＩＤ番号は記憶部２１０から読取られて使用されているが、これに限らず、ＩＤチップ１から受信した第１起動信号Ｃ１および第２起動信号Ｃ２を復号化して得られたＩＤ番号を使用するようにしてもよい。
また、本例のＩＤカード２は電池を搭載していないパッシブ型であるが、これに限らず、専用の電池を搭載したアクティブ型であってもよい。
【００４１】
図３では、操作装置２としてカード型の例を示したが、上述のように操作装置２を携帯電話として構成してもよい。この場合、図３における入力部２０１，表示部２０２は、携帯電話の入力ボタン，表示画面とすることができる。
【００４２】
図４にカードリーダー３の構成図を示す。カードリーダー３は、制御部として機能するＣＰＵ３００と、アンテナ３３０と、アンテナ３３０に接続された変復調信号処理部３２０と、操作パネルである入力部３０１と、ＬＣＤ表示器である表示部３０２と、記憶部３１０と、外部装置４とのインターフェース部３０３と、これらに電源を供給する電源３５０とを有する。
ＣＰＵ３００は、データの入出力制御、データ受信制御、データ読取処理，データの復号化、認証処理、外部装置４への信号出力の制御等を行う。ＣＰＵ３００は、読取手段、読替手段、復号化手段、認証手段、送受信手段、外部出力信号送出手段等として機能する。
入力部３０１は、各種入力スイッチから構成され、テンキー、アルファベットキー、特定の機能に特化したスイッチ（例えば、電源ＯＮ／ＯＦＦスイッチ、ドア開閉スイッチ等）等を有する。
【００４３】
表示部３０２は、ＣＰＵ３００からの出力に従い復号化データや、操作時の入力データ等の表示を行う。
記憶手段としての記憶部３１０は、ＥＥＰＲＯＭ，ＲＯＭ，ＲＡＭ等からなり、ＣＰＵ３００の制御プログラム３１１，パターン換算定数データ３１２，複数のユーザーのＩＤ番号を記憶するＩＤ番号データ３１３等のデータが格納されており、また作業領域として機能するように構成されている。これらのデータは不揮発性のメモリに記憶されているので、電源が供給されないときにもデータを保持することができる。
パターン換算定数データ３１２には、ＩＤカード２が有するパターン換算定数データ２１２と同様に、パターン換算定数Ｚとこれに対応する換算定数Ｚ´の組合せが複数登録されている。図５にパターン換算定数データ２１２，３１２を例示する。この例では、ａ〜ｚまでの２６通りの組合せが登録されており、例えば「ｇ」（パターン換算定数Ｚ）に対して「３３９９」（換算定数Ｚ´）が関連付けられている。パターン換算定数データ３１２は、少なくともパターン換算定数データ２１２が有するパターン換算定数Ｚとこれに対応する換算定数Ｚ´を有している。
変復調信号処理部３２０は、ＩＤカード２が備える変復調信号処理部２２０と同様の機能を有する。
【００４４】
アンテナ３３０によって受信されたＩＤカード２からの第１認証信号Ｓ１および第２認証信号Ｓ２は、変復調信号処理部３２０で復調され復調データとしてＣＰＵ３００へ出力される。ＣＰＵ３００は、復号化処理として、供給された第１起動信号Ｃ１および第２起動信号Ｃ２を後述するように復号化して、認証処理を行う。
認証の結果、正しい信号を受け取っていると判断すると、ＣＰＵ３００は、所定の信号を外部装置４へ出力する。
【００４５】
本実施例では、外部装置４として電子錠が適用されている。外部装置４は、インターフェース部３０３と接続されており、カードリーダー３からの解錠駆動信号（Ｏｆｆ信号）により電子ロックの解錠操作を行い、施錠駆動信号（Ｏｎ信号）により電子ロックの施錠操作を行う。また、外部装置４として電子錠を複数接続することも可能である。
【００４６】
次に、ＩＤチップ１およびＩＤカード２の駆動電源について説明する。本実施例では、カードリーダー３には専用の電源３５０が配設されているが、ＩＤチップ１およびＩＤカード２には、専用電源を有しないパッシブ型のＩＣチップが配設されている。
本実施例では、電源供給を以下のように行う。まず、ＩＤカード２をカードリーダー３に近接させると、ＩＤカード２はカードリーダー３のアンテナ３３０から輻射される電磁波をアンテナ２３４を介して受信し、ＩＤカード２内のペーパーコンデンサに電荷をチャージする。
次に、電源がチャージされたＩＤカード２にＩＤチップ１を近接させると、ＩＤチップ１はＩＤカード２のアンテナ２３０から輻射される電磁波をアンテナ１３０を介して受信し、ＩＤチップ１内に電荷をチャージする。
または、ＩＤチップ１を直接カードリーダー３に近接させることにより、ＩＤチップ１をチャージすることもできる。
このようにして、ＩＤカード２およびＩＤチップ１は駆動電源が確保され、所定の処理を行うことができる。
【００４７】
次に、本システムＳの動作について説明する。
図６はＩＤチップ１における処理の流れを示している。ＩＤチップ１を電源がチャージされたＩＤカード２に近接させると、ＩＤチップ１はＩＤカード２から輻射される電磁波及びデータ送信要求コマンドを受ける。これによりＩＤチップ１は駆動され処理が開始される。そして、まずＣＰＵ１００は記憶部１１０からＩＤ番号を読取る（ステップＳ１０）。また、記憶部１１０に記憶された換算定数ｘ，ｙ，ｚ´およびパターン換算定数ｚを読取る（ステップＳ１１）。なお、換算定数ｘ，ｙは、所定の桁数（例えば、４桁）の範囲でランダムに選択するようにしてもよい。
そして、ステップＳ１２で読取ったデータをもとに、暗号化処理が行なわれる。本例では、図７に示すように、ＩＤ番号Ａは第１式（Ａｘ＝Ａ＋ｙ＋ｚ´），第２式（Ａｙ＝Ａ＋ｘ＋ｚ´）によってそれぞれＩＤ番号代替値Ａｘ，Ａｙに暗号化される。
例えば、ＩＤ番号Ａが「１２３４５６７８」、換算定数ｘが「１１２２」、換算定数ｙが「３３４４」、換算定数ｚ´が「３３９９」である場合、ＩＤ番号代替値Ａｘは「１２３５２４２１」，ＩＤ番号代替値Ａｙは「１２３５０１９９」となる。
【００４８】
ステップＳ１２で暗号化が行われると、ステップＳ１３で第１起動信号生成処理、ステップＳ１４で第２起動信号生成処理が行なわれる。本例では、図８に示すように、第１起動信号Ｃ１および第２起動信号Ｃ２はそれぞれ大きさが指定されたパケット０〜４の５のデータ領域からなる。そして、所定の領域に所定のデータを配置することにより、信号の生成が行われる。
パケット０は、通信番号格納領域であって送信信号に対して自動的に生起される番号である。ペアとなる起動信号（Ｃ１，Ｃ２）には同一の番号が割り振られる。
パケット１は、信号種別格納領域である。信号種別は、本例では起動信号（Ｃ１，Ｃ２）には１、認証信号（Ｓ１，Ｓ２）には２がそれぞれ割り当てられている。
【００４９】
パケット２は、第１起動信号Ｃ１の場合は換算定数ｘが、第２起動信号Ｃ２の場合は換算定数ｙが格納される領域である。
パケット３は、パターン換算定数ｚの格納領域である。本例の場合、パターン換算定数ｚは第１起動信号Ｃ１には格納されず、第２起動信号Ｃ２のみに格納される。図８の例では、パターン換算定数ｚとして「ｇ」が格納されている。パターン換算定数ｚの「ｇ」は、換算定数ｚ´の「３３９９」に対応している。
パケット４は、ＩＤ番号代替値Ａｘ，Ａｙが格納される領域である。第１起動信号Ｃ１のパケット４にはＩＤ番号代替値Ａｘが格納され、第２起動信号Ｃ２のパケット４にはＩＤ番号代替値Ａｙが格納される。
なお、第１起動信号Ｃ１のパケット３のように配置すべきデータがない場合には、ブランクデータもしくは所定のスクランブルデータが配置される。
【００５０】
ステップＳ１３，Ｓ１４で起動信号が生成されると、ステップＳ１５，Ｓ１６でそれぞれ第１起動信号Ｃ１，第２起動信号Ｃ２がアンテナ１３０からＩＤカード２へ向けて送信され、処理を終了する。
【００５１】
次に、図９，図１０に基づきＩＤカード２における処理の流れを説明する。
ＩＤカード２は、ＩＤチップ１を検出するための電磁波を輻射する。ＣＰＵ２００は、制御プログラムに基づいてアンテナ２３０から所定の周期で電磁波を輻射させる（ステップＳ２０）。
そして、ステップＳ２１でＩＤチップ１から起動信号Ｃ１およびＣ２が送信されてきたか否かを判断し、送信されてきたと判断するまで待機する（ステップＳ２１；Ｎｏ）。送信されてきたと判断した場合（ステップＳ２１；Ｙｅｓ）、ステップＳ２２へ進み、第１起動信号Ｃ１を読込む。また、ステップＳ２３で第２起動信号Ｃ２を読込む。
起動信号を読取ると、ステップＳ２４で、第２起動信号Ｃ２のパケット３からパターン換算定数ｚを読取ると共に、読取ったパターン換算定数ｚ（「ｇ」）をもとに、記憶しているパターン換算定数データ２１２から換算定数ｚ´（「３３９９」）を読取る。
そして、ステップＳ２５で、第１起動信号Ｃ１のパケット２から換算定数ｘ，パケット４からＩＤ番号代替値Ａｘを読取り、第２起動信号Ｃ２のパケット２から換算定数ｙ，パケット４からＩＤ番号代替値Ａｙをそれぞれ読取る。
【００５２】
換算定数ｘ，ｙ，ｚ´、ＩＤ番号代替値Ａｘ，Ａｙを読取ると、これらの値をもとにステップＳ２６，Ｓ２７でそれぞれ第１起動信号Ｃ１，第２起動信号Ｃ２からＩＤ番号を復号化する。図１１に示すように、ＣＰＵ２００は第１式（Ａ１＝Ａｘ−ｙ−ｚ´），第２式（Ａ２＝Ａｙ−ｘ−ｚ´）からそれぞれ復号値Ａ１，Ａ２を算出する。
図１２に示す例では、換算定数ｘ，ｙ，ｚ´がそれぞれ「１１２２」，「３３４４」，「３３９９」であり、ＩＤ番号代替値Ａｘ，Ａｙがそれぞれ「１２３５２４２１」，「１２３５０１９９」である。この場合、復号値Ａ１は「１２３４５６７８」と算出され、復号値Ａ２は「１２３４５６７８」と算出される。
【００５３】
復号値Ａ１，Ａ２が算出されると、ステップＳ２８で復号値Ａ１とＡ２の認証処理が行なわれる。この処理では両復号値が一致するか否かが判断される。一致しなかった場合は、そのまま処理を終了する。一方、一致した場合は、正しい起動信号（Ｃ１，Ｃ２）が送信されたと判断され、ステップＳ２９へ進み起動タイマをスタートさせる。本例の起動タイマは１５秒に設定されている。この起動タイマが終了すると、割込み処理により、図９，図１０に示すメイン処理はその処理途中であっても強制的に終了させられる。
【００５４】
なお、ステップＳ２８の認証処理において、復号値Ａ１とＡ２が一致するか否かを判断して、これらが一致した場合に、一致した復号値Ａ１（＝Ａ２）が記憶部２１０のＩＤ番号データ２１３に登録されたものであるか否かを判断するようにしてもよい（後述するステップＳ４８参照）。
この場合、復号値Ａ１とＡ２が一致しないか、一致したとしても登録されたものでない場合は、そのまま処理を終了する。一方、一致かつ登録されたものであった場合は、正しい起動信号（Ｃ１，Ｃ２）が送信されたと判断され、ステップＳ２９へ進みように構成することができる。
このように構成すれば、例えば、ユーザーがＩＤチップ１を紛失等したときには、ＩＤカード２ではそのＩＤチップ１から起動信号（Ｃ１，Ｃ２）を受け付けないようにすることができる。すなわち、紛失したＩＤチップ１に記憶されたＩＤ番号をＩＤカード２のＩＤ番号データ２１３から抹消処理することにより、紛失したＩＤチップ１のＩＤ番号含む起動信号（Ｃ１，Ｃ２）を受信してもステップＳ２８で認証されなくなる。これにより、第三者がＩＤチップ１，ＩＤカード２を不正に取得した場合にも、成りすまし送信を防ぐことができる。
そして、ＩＤチップ１を紛失した場合には、新たにＩＤチップ１を発行し、そのＩＤチップ１とＩＤカード２に同一であって新たなＩＤ番号をＩＤ番号データ１１３，２１３として書換え登録するようにすればよい。
【００５５】
ステップＳ２９で起動タイマがスタートすると、ステップＳ３０〜Ｓ３６の認証信号生成・送信処理が引き続き行われる。
ステップＳ３０では、ＣＰＵ２００は記憶部２１０からＩＤ番号を読取る（ステップＳ３０）。
また、ステップＳ３１で、ユーザーが入力部２０１から解錠又は施錠データを入力（ＯＰＮ（開）スイッチ又はＣＬＳ（閉）スイッチを押下）すると、表示部３０２にその旨が表示（「ＯＰＥＮ」又は「ＣＬＯＳＥ」表示）される。次に、送信者はパターン換算定数Ｚを指定するためのスイッチ操作をして（例えば、Ｚ＝「ｇ」）、入力部２０１の送信スイッチを押下する。
これにより、ＣＰＵ２００は、送信スイッチが押下されたタイミングで乱数により、所定の桁数（例えば、４桁）の換算定数Ｘ，Ｙをランダムに選択する。また、指定されたパターン換算定数Ｚに対応する換算定数Ｚ´が記憶部２１０から読み出される。なお、パターン換算定数Ｚおよび換算定数Ｚ´はＣＰＵ２００によって自動選択されるようにしてもよい。
また、ステップS３０において、ユーザーが入力部２０１等を操作することなく、ＣＰＵ２００が自動的に記憶部２１０からパターン換算定数Ｚを選択して、換算定数Ｚ´やＩＤ番号等を読込み、さらに換算定数Ｘ，Ｙを自動選択するように構成してもよい。
【００５６】
そして、ステップＳ３２で、これらのデータをもとに、暗号化処理が行なわれる。本例では、図１３に示すように、ＩＤ番号Ａは第１式（Ａｘ＝Ａ＋Ｙ＋Ｚ´），第２式（Ａｙ＝Ａ＋Ｘ＋Ｚ´）によってそれぞれＩＤ番号代替値Ａｘ，Ａｙに暗号化される。
例えば、ＩＤ番号Ａが「１２３４５６７８」、換算定数Ｘが「１１２２」、換算定数Ｙが「３３４４」、換算定数Ｚ´が「３３９９」である場合、ＩＤ番号代替値Ａｘは「１２３５２４２１」，ＩＤ番号代替値Ａｙは「１２３５０１９９」となる。
【００５７】
ステップＳ３２で暗号化がされると、ステップＳ３３で第１認証信号生成処理、ステップＳ３４で第２認証信号生成処理が行なわれる。本例では、図１４に示すように、第１認証信号Ｓ１および第２認証信号Ｓ２はそれぞれ大きさが指定されたパケット０〜５の６のデータ領域からなる。そして、所定の領域に所定のデータを配置することにより、信号の生成が行われる。
パケット０は、通信番号格納領域であって送信信号に対して自動的に生起される番号である。ペアとなる認証信号（Ｓ１，Ｓ２）には同一の番号が割り振られる。
パケット１は、信号種別格納領域である。本例では認証信号（Ｓ１，Ｓ２）には２が割り当てられる。
パケット２は、第１認証信号Ｓ１の場合は換算定数Ｘが、第２認証信号Ｓ２の場合は換算定数Ｙが格納される領域である。
【００５８】
パケット３は、パターン換算定数Ｚの格納領域である。本例の場合、パターン換算定数Ｚ（図１４では「ｇ」）は第１認証信号Ｓ１には格納されず、第２認証信号Ｓ２のみに格納される。パターン換算定数ｚの「ｇ」は、換算定数ｚ´の「３３９９」に対応している。
パケット４は、ＩＤ番号代替値Ａｘ，Ａｙが格納される領域である。第１認証信号Ｓ１のパケット４にはＩＤ番号代替値Ａｘが格納され、第２認証信号Ｓ２のパケット４にはＩＤ番号代替値Ａｙが格納される。
パケット５は、解錠又は施錠を表すＯＮ／ＯＦＦ信号格納領域である。信号としては、解錠を表す「１」、施錠を表す「０」がある。なお、複数の電子錠を操作する場合は、各々の電子錠を区別するためのパケット領域を設けるとよい。本例の場合は、ＯＮ／ＯＦＦ信号は第１認証信号Ｓ１のみに格納される。
なお、第１認証信号Ｓ１のパケット３のように配置すべきデータがない場合には、ブランクデータもしくは所定のスクランブルデータが配置される。
【００５９】
ステップＳ３３，Ｓ３４で認証信号が生成されると、ステップＳ３５，Ｓ３６でそれぞれ第１認証信号Ｓ１，第２認証信号Ｓ２がアンテナ２３４からカードリーダー３へ向けて送信され、処理を終了する。
このように、ＩＤカード２では、第１起動信号Ｃ１と第２起動信号Ｃ２が認証された場合にのみ、第１認証信号Ｓ１，第２認証信号Ｓ２がカードリーダー３へ送信されるように構成されている。
【００６０】
次に、図１５に基づきカードリーダー３における処理の流れを説明する。
カードリーダー３は、ＩＤカード２を検出するための電磁波を輻射する。ＣＰＵ３００は、制御プログラムに基づいてアンテナ３３０から所定の周期で電磁波を輻射させる（ステップＳ４０）。
そして、ステップＳ４１でＩＤカード２から認証信号Ｓ１およびＳ２が送信されてきたか否かを判断し、送信されてきたと判断するまで待機する（ステップＳ４１；Ｎｏ）。送信されてきたと判断した場合（ステップＳ４１；Ｙｅｓ）、ステップＳ４２へ進み、第１認証信号Ｓ１を読込む。また、ステップＳ４３で第２認証信号Ｓ２を読込む。なお、カードリーダー３は、受信した信号が認証信号であって、起動信号ではないことをパケット１の種別によって区別している。すなわち、パケット１が「２」であるときに、その信号は認証信号であると判別される。
【００６１】
認証信号を読取ると、ステップＳ４４で、第２認証信号Ｓ２のパケット３からパターン換算定数Ｚを読取ると共に、読取ったパターン換算定数Ｚ（「ｇ」）をもとに、記憶しているパターン換算定数データ３１２から換算定数Ｚ´（「３３９９」）を読取る。
そして、ステップＳ４５で、第１認証信号Ｓ１のパケット２から換算定数Ｘ，パケット４からＩＤ番号代替値Ａｘを読取り、第２認証信号Ｓ２のパケット２から換算定数Ｙ，パケット４からＩＤ番号代替値Ａｙをそれぞれ読取る。
【００６２】
換算定数Ｘ，Ｙ，Ｚ´、ＩＤ番号代替値Ａｘ，Ａｙを読取ると、これらの値をもとにステップＳ４６，Ｓ４７でそれぞれ第１認証信号Ｓ１，第２認証信号Ｓ２からＩＤ番号を復号化する。図１６に示すように、ＣＰＵ３００は第１式（Ａ１＝Ａｘ−Ｙ−Ｚ´），第２式（Ａ２＝Ａｙ−Ｘ−Ｚ´）からそれぞれ復号値Ａ１，Ａ２を算出する。
図１７に示す例では、換算定数Ｘ，Ｙ，Ｚ´がそれぞれ「１１２２」，「３３４４」，「３３９９」であり、ＩＤ番号代替値Ａｘ，Ａｙがそれぞれ「１２３５２４２１」，「１２３５０１９９」である。この場合、復号値Ａ１は「１２３４５６７８」と算出され、復号値Ａ２は「１２３４５６７８」と算出される。
【００６３】
復号値Ａ１，Ａ２が算出されると、ステップＳ４８で認証処理が行なわれる。まず、復号値Ａ１とＡ２が一致するか否かが判断される。また、一致した復号値Ａ１（＝Ａ２）が記憶部３１０のＩＤ番号データ３１３に登録されたものであるか否かが判断される。
復号値Ａ１とＡ２が一致しないか、一致したとしても登録されたものでない場合は、ステップＳ５０へ進み、表示部３０２にエラー表示を行う。また、ランプによってエラーを報知するように構成してもよい。
一方、一致かつ登録されたものであった場合は、正しい認証信号（Ｓ１，Ｓ２）が送信されたと判断され、ステップＳ４９へ進み外部装置４へ出力信号が送出される。ＣＰＵ３００は、第１認証信号Ｓ１のパケット５からＯＮ／ＯＦＦ信号を読出し、この値に応じて出力信号を送出する。
【００６４】
また、カードリーダー３のＩＤ番号データ３１３に、複数のユーザーにつき複数のＩＤ番号を登録しておけば、複数人でカードリーダー３を共用することができる。また、ユーザーがＩＤカード２を紛失等したときには、ＩＤ番号データ３１３からそのＩＤカード２のＩＤ番号を抹消処理することにより、紛失したＩＤカード２からの認証信号（Ｓ１，Ｓ２）を受信してもステップＳ４８で認証されなくなる。これにより、第三者がＩＤチップ１，ＩＤカード２を不正に取得した場合にも、成りすまし送信を防ぐことができる。
【００６５】
なお、上記実施の形態では、ユーザーのＩＤ番号のみを暗号化して送信していたが、これに限らず、暗号化信号（起動信号，認証信号）に、暗号化されるデータとしてＩＤ番号以外の複数のデータを設定してもよい。例えば、認証信号にさらにデータ領域（パケット）を設け、このデータ領域に複数のデータを暗号化して配置することができる。
そして、複数のデータを暗号化・復号化する場合には、それぞれのデータについて同一の換算定数の組合せによる暗号化・復号化を行ってもよいし、別々の換算定数の組合せ（Ｘｎ，Ｙｎ，Ｚｎ´）によって暗号化・復号化してもよい。例えば、３つのデータを暗号化・復号化する場合には、それぞれ換算定数の組合せ（Ｘ１，Ｙ１，Ｚ１´），（Ｘ２，Ｙ２，Ｚ２´），（Ｘ３，Ｙ３，Ｚ３´）を用いることができる。そして、これらの換算定数も認証信号等に含められて送受信される。
【００６６】
また、上記実施の形態では、データの暗号化法は、換算定数ＸとＺ´（又はｘとｚ´），換算定数ＹとＺ´（又はｙとｚ´）がそれぞれ加算されるものであるが、これに限らず、換算定数Ｘ，Ｙ，Ｚ´（又はｘ，ｙ，ｚ´）を暗号鍵とするものであれば、減算，その他の演算方法であってもよいことはもちろんである。
また、上述したようにデータを一方の信号用には換算定数ＸとＺ´（又はｘとｚ´）の組合せによって暗号化し、他方の信号用には換算定数Ｙ（又はｙ）のみによって暗号化する方法により暗号化してもよい。また、データを一方の信号用には換算定数Ｘ（又はｘ）のみによって暗号化し、他方の信号用には換算定数ＹとＺ´（ｙとｚ´）によって暗号化する方法により暗号化してもよい。
例えば、データを一方の信号用に換算定数Ｘのみによる加算，他方の信号用に換算定数ＹとＺ´による加算を行う場合は、ＩＤ番号Ａは第１式（Ａｘ＝Ａ＋Ｙ＋Ｚｙ´）及び第２式（Ａｙ＝Ａ＋Ｘ）によって暗号化される。
【００６７】
なお、上記実施の形態では、第１起動信号Ｃ１を第２起動信号Ｃ２よりも先に送信し、第１認証信号Ｓ１を第２認証信号Ｓ２よりも先に送信していたが、これに限らず、順序は逆であってもよい。
【００６８】
また、上記実施の形態では、ＩＤカード２はＩＤチップ１から起動信号（Ｃ１，Ｃ２）を受信することにより活性化され、カードリーダー３へ認証信号（Ｓ１，Ｓ２）を送信可能となるように構成されている。しかし、これに限らず、図１８に示すように、まずＩＤチップ１からカードリーダー３へ起動信号（Ｃ１，Ｃ２）を送信し、カードリーダー３によってこの信号が認証された場合に、所定時間だけカードリーダー３がＩＤカード２からの認証信号（Ｓ１，Ｓ２）を受付け可能とするように構成してもよい。起動信号（Ｃ１，Ｃ２）の送受信処理や復号化処理等は上記実施の形態と同様である。
すなわち、まず、ＩＤチップ１をカードリーダー３に近接させ、ＩＤチップ１からカードリーダー３へ起動信号（Ｃ１，Ｃ２）を送信する。カードリーダー３は、この信号を受信して復号化し、ＩＤ番号が一致かつ登録されているものであるか否かを判別する。判別の結果、一致かつ登録されたものである場合に、ＩＤチップ１は認証される。認証されると、所定時間（例えば、１５秒）だけカードリーダー３が活性化される。この活性化された期間内は、カードリーダー３はＩＤカード２からの認証信号（Ｓ１，Ｓ２）を受け付け可能もしくは認証処理可能となる。
この場合、ＩＤチップ１とカードリーダー３は同じパターン換算定数ｚ及び換算定数ｚ´を記憶し、ＩＤカード２とカードリーダー３は同じパターン換算定数Ｚ及び換算定数Ｚ´を有する。
【００６９】
したがって、単にＩＤカード２をカードリーダー３に近接させて認証信号（Ｓ１，Ｓ２）を送信しても、カードリーダー３は認証信号（Ｓ１，Ｓ２）を認証しない。ＩＤカード２が認証されないので、カードリーダー３は外部装置４へ外部出力信号を送出しない。認証信号（Ｓ１，Ｓ２）の送受信処理や復号化処理等は上記実施の形態と同様である。
この活性化された期間内に、ＩＤカード２がカードリーダー３へ近接されると、カードリーダー３はＩＤカード２から送信される認証信号（Ｓ１，Ｓ２）を受け付け、認証処理を行なう。認証の結果、正規のＩＤカード２からの認証信号（Ｓ１，Ｓ２）であると判別されると、カードリーダー３は外部装置４へ認証信号（Ｓ１，Ｓ２）に応じた外部出力信号を送出する。この場合、ＩＤチップ１によってＩＤカード２を活性化させる必要はない。
このように、ＩＤチップ１によってカードリーダー３を活性化させた後でなければ、ＩＤカード２からカードリーダー３に認証信号（Ｓ１，Ｓ２）を送信したとしても、カードリーダー３はその認証信号（Ｓ１，Ｓ２）を無効とする。したがって、第三者がＩＤカード２のみを不正に取得したとしても、カードリーダー３および外部装置４を操作することができない。このような形態によっても、成りすまし送信を防いでセキュリティを高めることができる。
【００７０】
また、上記実施の形態では、ＩＤチップ１からＩＤカード２またはカードリーダー３へ第１起動信号Ｃ１，第２起動信号Ｃ２が送信され、これらの信号が認証された場合に、ＩＤカード２またはカードリーダー３が活性化される構成である。
しかし、これに限らず、ＩＤチップ１からＩＤカード２またはカードリーダー３へ送信される信号は、上述の起動信号（Ｃ１，Ｃ２）ではなく、一般的な信号または暗号化された信号であってもよい。
例えば、図１９に示す形態では、ＩＤチップ１（起動装置）からＩＤカード２（操作手段）へ活性化信号としての起動信号Ｗが送信され、これを受けた場合にＩＤカード２が所定時間だけ活性化され、ＩＤカード２からカードリーダー３へ認証信号（Ｓ１，Ｓ２）が送信可能となるように構成されている。この場合、カードリーダー３は、ＩＤカード２が有するパターン換算定数データを少なくとも有する。
起動信号Ｗとしては、ＩＤチップ１固有の番号をあらわす信号等の設定信号とすることができる。また、この設定信号を公知の暗号化法によって暗号化して送信してもよい。例えば、ＩＤチップ１とＩＤカード２でに暗号鍵を共通に記憶させておき、この暗号鍵によって暗号化，復号化してもよいし、暗号鍵を起動信号Ｗに含めて送信するようにしてもよい。
ＩＤカード２では、起動信号Ｗを単に受信することによって、所定時間だけ認証信号（Ｓ１，Ｓ２）を送信可能となるようにしてもよいし、起動信号Ｗまたはその復号化データがＩＤカード２に記憶された所定の登録データを含むものであると判断した場合に、所定時間だけ認証信号（Ｓ１，Ｓ２）を送信可能となるようにしてもよい。
【００７１】
また、図２０に示す形態では、ＩＤチップ１からカードリーダー３へ活性化信号としての起動信号Ｗが送信され、これを受けた場合にカードリーダー３が所定時間だけ活性化され、ＩＤカード２から受信する認証信号（Ｓ１，Ｓ２）を処理可能となるように構成されている。この場合、カードリーダー３は、ＩＤカード２が有するパターン換算定数データを少なくとも有する。
起動信号Ｗとしては、図１９の形態と同様に所定の設定信号とすることができる。
また、カードリーダー３では、起動信号Ｗを単に受信することによって、所定時間だけ認証信号（Ｓ１，Ｓ２）を処理可能となるようにしてもよいし、起動信号Ｗまたはその復号化データがカードリーダー３に記憶された所定の登録データを含むものであると判断した場合に、所定時間だけ認証信号（Ｓ１，Ｓ２）を処理可能となるようにしてもよい。
【００７２】
また、図１９，図２０のように、ＩＤカード２またはカードリーダー３へ起動信号Ｗを送信することによって、ＩＤカード２またはカードリーダー３を活性化させることに限らず、ＩＤカード２またはカードリーダー３を活性化させるための信号を入力するように構成してもよい。
例えば、ＩＤカード２やカードリーダー３の入力部２０１，３０１から個人認証番号を入力して、個人認証番号が登録されていれば認証され、これにより所定時間だけ認証信号（Ｓ１，Ｓ２）を送信可能となったり、認証信号（Ｓ１，Ｓ２）を処理可能となったりするように構成できる。
さらに、ＩＤカード２やカードリーダー３に、指紋、音声、網膜等のデータを入力して、指紋認証，音声認証，網膜認証等を行うように構成してもよい。
このような形態によっても、成りすまし送信を防いでセキュリティを高めることができる。
【図面の簡単な説明】
【００７３】
【図１】送信システムの全体説明図である。
【図２】ＩＤチップの構成図である。
【図３】ＩＤカードの構成図である。
【図４】カードリーダーの構成図である。
【図５】パターン換算定数データの説明図である。
【図６】ＩＤチップにおける処理の流れ図である。
【図７】ＩＤチップにおける暗号化法の説明図である。
【図８】起動信号の説明図である。
【図９】ＩＤカードにおける処理の流れ図である。
【図１０】ＩＤカードにおける処理の流れ図である。
【図１１】ＩＤカードにおける復号化法の説明図である。
【図１２】ＩＤカードにおける復号化法の説明図である。
【図１３】カードリーダーにおける暗号化法の説明図である。
【図１４】認証信号の説明図である。
【図１５】カードリーダーにおける処理の流れ図である。
【図１６】カードリーダーにおける復号化法の説明図である。
【図１７】カードリーダーにおける復号化法の説明図である。
【図１８】別実施例に係る送信システムの全体説明図である。
【図１９】別実施例に係る送信システムの全体説明図である。
【図２０】別実施例に係る送信システムの全体説明図である。
【符号の説明】
【００７４】
１  ＩＤチップ（起動装置）、１ａ  ＩＣチップ、２  ＩＤカード（操作装置）、３  カードリーダー（認証装置）、４  外部装置、１００  ＣＰＵ、１１０  記憶部、１１１  制御プログラム、１１２  パターン換算定数データ、１１３  ＩＤ番号データ、１２０  変復調信号処理部、１３０  アンテナ、１４０  コンデンサ、２００  ＣＰＵ、２０１  入力部、２０２  表示部、２１０  記憶部、２１１  制御プログラム、２１２  パターン換算定数データ、２１３  ＩＤ番号データ、２２０，２２４  変復調信号処理部、２３０，２３４  アンテナ、２４４  コンデンサ、３００  ＣＰＵ、３０１  入力部、３０２  表示部、３０３  インターフェース部、３１０  記憶部、３１１  制御プログラム、３１２  パターン換算定数データ、３１３  ＩＤ番号データ、３２０  変復調信号処理部、３３０  アンテナ、３５０  電源、Ａｘ，Ａｙ  ＩＤ番号代替値、Ｃ１  第１起動信号、Ｃ２  第２起動信号、Ｓ  データ送信システム、Ｓ１  第１認証信号、Ｓ２  第２認証信号、ｘ，ｙ，Ｘ，Ｙ，ｚ´  換算定数、ｚ，Ｚ  パターン換算定数、Ｗ  起動信号
【図１】
2005260353.tif 000003
【図２】
2005260353.tif 000004
【図３】
2005260353.tif 000005
【図４】
2005260353.tif 000006
【図５】
2005260353.tif 000007
【図６】
2005260353.tif 000008
【図７】
2005260353.tif 000009
【図８】
2005260353.tif 000010
【図９】
2005260353.tif 000011
【図１０】
2005260353.tif 000012
【図１１】
2005260353.tif 000013
【図１２】
2005260353.tif 000014
【図１３】
2005260353.tif 000015
【図１４】
2005260353.tif 000016
【図１５】
2005260353.tif 000017
【図１６】
2005260353.tif 000018
【図１７】
2005260353.tif 000019
【図１８】
2005260353.tif 000020
【図１９】
2005260353.tif 000021
【図２０】
2005260353.tif 000022